(57)【特許請求の範囲】
【請求項１】
柱と床梁と天井梁とを平面矩形状の箱形に連結し、且つ、この矩形状の一角に柱を省略した柱省略角部を有する２乃至４個の建物ユニットが、柱省略角部を互いに突き合わせて据え付けられたユニット建物において、前記柱省略角部を有する建物ユニットの天井梁は柱省略角部で連結され、且つ、この柱省略角部を有する建物ユニットの１個以上には、柱省略角部より離れた位置であって建物ユニット製造時に天井梁に補強プレートが嵌め込まれた位置に、前記柱省略角部に設けられていた着脱自在な柱を移動して天井梁を支持する中柱としたことを特徴とするユニット建物。
【請求項２】
柱と床梁と天井梁とを平面矩形状の箱形に連結し、且つ、この矩形状の一角に柱を省略した柱省略角部を有する２乃至４個の建物ユニットを、柱省略角部を互いに突き合わせて据え付けるユニット建物の施工方法において、前記柱省略角部には着脱自在な柱を設け、この柱を移動させる位置の天井梁には補強プレートが嵌め込まれた建物ユニットを施工現場に運搬し、柱省略角部を突き合わせて据え付け、建物ユニットの天井梁を柱省略角部で連結した後、この２乃至４個の建物ユニットの中の１個以上では着脱自在な柱を取り外して柱省略角部より離れた前記補強プレートの位置に移動させて中柱とし、残りの建物ユニットでは着脱自在な柱を取り除くことを特徴とするユニット建物の施工方法。
【発明の詳細な説明】
【０００１】
【発明の属する技術分野】
この発明は建物ユニットに関する。
【０００２】
【従来の技術】
ユニット建物は、運搬可能な一定の大きさの箱形の、且つ、内部、外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となすものであって、現場施工期間が短く、且つ、寸法精度の良い標準化された建物となる特徴があることから、近年、広く採用されている。尚、屋根パネルは工場で建物ユニットに取り付けられて施工現場に運搬されることもある。
【０００３】
このユニット建物に使用される建物ユニットとしては種々な構造のものが知られている。
例えば、特公昭６１−４２０６１号公報（以後従来例１と称する）には、平面矩形状の四隅に配置した４本の柱と、この４本の柱の上端部を矩形状の辺に沿って連結した天井梁と、この４本の柱の下端部を矩形状の辺に沿って連結した床梁とからなる建物ユニットの骨格が記載されている。そして、この相対する天井梁に天井野縁を差し渡し、この天井野縁の下面に天井材を取り付けて天井を形成し、相対する床梁に床小梁を差し渡し、この上に床根太を取り付け、この床根太の上に床材を取り付けて床を形成し、壁を設ける場所には、天井梁と床梁との間に間柱を取り付け、この間柱に壁パネルを取り付けて壁を形成して建物ユニットとするのである。
【０００４】
又、特開平６−１８５１２２号公報（以後従来例２と称する）には、柱省略角部に着脱自在な柱を設けた建物ユニットが記載されている。この建物ユニットは、この柱省略角部を互いに突き合わせて据え付け、柱省略角部の天井梁を補強連結具で連結した後、着脱自在な柱を取り外して柱省略角部を有するユニット建物とするものである。
【０００５】
又、特開平８−２７７５８０号公報（従来例３と称する）には、柱省略角部に着脱自在な柱を設けた建物ユニットを、この柱省略角部を互いに突き合わせて据え付けた後、柱省略角部を通過するほぼ一直線状になっている一方の建物ユニットの天井梁と他方の建物ユニットの天井梁とに天井梁の２倍にほぼ等しい長さの補強梁を差し渡し、補強梁の両端部と中央部とを天井梁に接続し、仮柱を取り外す柱省略角部を有するユニット建物が記載されている。
【０００６】
又、特開平１０−６１０２１号公報（以後従来例４と称する）には、柱省略角部に着脱自在な柱を設けた建物ユニットの３個または４個を、この柱省略角部を互いに突き合わせて据え付け、この隣接建物ユニットの柱省略角部の十字形状の間隙に、十字形状の補強梁を設置して、この十字形状の補強梁を天井梁に接続した後、着脱自在な柱を取り外す柱省略角部を有するユニット建物が記載されている。尚、この十字形の２本の補強梁の一方の補強梁は建物ユニットの柱省略角部を通過する一直線状になっている２本の天井梁の合計とほぼ等しい長さになっている。
【０００７】
【発明が解決しようとする課題】
しかしながら、従来例１記載のユニット建物の複数個を組み立てたユニット建物では、建物ユニットの角部が突き合わされた部分に必ず柱があり、この柱に遮られて広く連続した居住空間を形成させることができないという問題がある。
従来例２〜従来例４記載のユニット建物では、上記問題を解決するものであって、着脱自在な柱を取り外すことにより、この部分に広く連続した居住空間を形成させることができ、極めて便利である。
【０００８】
しかし、次に示す問題があることが判明した。
即ち、建物ユニットは工場等の施工現場以外の場所で製造し、トラック等で施工現場に運搬し、施工現場で組み立ててユニット建物とする関係で、建物ユニットはトラック等で運搬できる大きさになっている。
従って、矩形状の建物ユニットでは、短辺をトラック等の幅より大きくできないので、ほぼ２４００ｍｍにし、長辺を建物のモジュール寸法（９００ｍｍ等）を基準にした長さ、例えば、３６００ｍｍ、４５００ｍｍ、５４００ｍｍに、柱の厚み等の補正部分を加えた長さになっている。
【０００９】
そして、従来例２記載のユニット建物では、柱省略角部の天井梁を補強連結具で連結すると、この柱省略角部を通過する天井梁の天井スパンは、通常の天井梁の２倍の長さになるので、この２倍の長さになった天井梁が大きく撓んだり破損する危険がある。従って、この柱省略角部を通過する天井梁の長さをそれ程長くすることができず、柱を省略した広い連続した空間の拡張に限界がある。
【００１０】
従来例３記載のユニット建物に使用する補強梁は、天井梁の２倍にほぼ等しい長さになっているので、天井梁全体が補強され、従来例２記載のユニット建物のような問題がない。
しかし、この補強梁を長辺に取り付ける場合には、補強梁が長辺の２倍とほぼ等しい長さ（ほぼ７２００ｍｍ、ほぼ９０００ｍｍ、ほぼ１０８００ｍｍ）になり、極めて長い。従って、運搬し難いし、余り長いので建物ユニットの長辺に取り付け難いという問題がある。又、この補強梁を短辺に取り付ける場合には、補強梁が短辺の２倍とほぼ等しい長さ（ほぼ４８００ｍｍ）であり運搬し易いが、柱省略角部を通過する長辺方向の天井スパンが長辺の天井梁のほぼ２倍の長さとなるので次に示す問題が生ずる。即ち、柱省略角部のない建物ユニットの場合でも、長辺方向の天井梁は、若干撓んで（この撓みは許容される範囲である）いるので、この上に、更に、補強梁で補強された短辺方向の天井梁の（天井スパンが短辺の天井梁のほぼ２倍）の撓み（この撓みも許容される範囲である）が加わる。従って、この柱省略角部の撓みと長辺による撓みとが重なって、長辺の天井梁が大きく撓んで、許容範囲を超えるほど天井が低くなるという問題がある。
【００１１】
かかる問題が生ずる長辺の長さは、この長辺の天井梁にかかる荷重によって異なり、はっきりとした寸法を示すことができないが、例えば、上階の柱がこの天井梁の上にあるというように、長辺の天井梁に大きな荷重がかかる場合には、長辺の天井梁の長さがほぼ３６００ｍｍでも許容範囲を超えることがある。又、天井梁に大きな荷重がかからない通常の場合には、ほぼ４５００ｍｍで許容範囲を超えることがあり、ほぼ５４００ｍｍでは、ほとんど全て許容範囲を超える。
【００１２】
尚、この長辺が撓まないように長辺の厚みを大きくしてもよいが、この柱省略角部を有するユニット建物用の天井梁の厚みを大きくした特別な建物ユニットを製造するとなると、建物ユニットが少量生産となり極めて高価になるという問題がある。
【００１３】
従来例４記載のユニット建物に使用する補強梁は十字形になっているので、柱省略角部を構成するそれぞれの天井梁が補強されて従来例３記載のように天井梁が許容範囲を超えるほど撓むことがなく極めて好ましいが、この補強梁が十字形をしているので、トラックで運搬し難いという問題がある。かかる問題をなくするために、施工現場で組み立てるようにしても、補強梁が大きいので、組み立てる作業が困難であるし、この作業によって現場施工工数が増加するとい問題がある。
【００１４】
そこで、この発明の目的は、柱省略角部を有するユニット建物を組み立てたものであって、しかも、天井が許容範囲を超えるほど低くならないユニット建物とこのユニット建物の施工方法を提供することである。
【００１５】
【課題を解決するための手段】
本発明は上記目的を達成するためになしたものであって、請求項１記載の発明は、柱と床梁と天井梁とを平面矩形状の箱形に連結し、且つ、この矩形状の一角に柱を省略した柱省略角部を有する２乃至４個の建物ユニットが、柱省略角部を互いに突き合わせて据え付けられたユニット建物において、前記柱省略角部を有する建物ユニットの天井梁は柱省略角部で連結され、且つ、この柱省略角部を有する建物ユニットの１個以上には、柱省略角部より離れた位置であって建物ユニット製造時に天井梁に補強プレートが嵌め込まれた位置に、前記柱省略角部に設けられていた着脱自在な柱を移動して天井梁を支持する中柱としたものである。
【００１６】
請求項１記載の発明は、柱省略角部に着脱自在な柱が設けられているので、請求項２記載の発明のように、施工現場でこの着脱自在な柱を取り外し、これを中柱に利用するようにすると、中柱を特別に製造したり運搬する必要がない。
【００１７】
即ち、請求項２記載の発明は、柱と床梁と天井梁とを平面矩形状の箱形に連結し、且つ、この矩形状の一角に柱を省略した柱省略角部を有する２乃至４個の建物ユニットを、柱省略角部を互いに突き合わせて据え付けるユニット建物の施工方法において、前記柱省略角部には着脱自在な柱を設け、この柱を移動させる位置の天井梁には補強プレートが嵌め込まれた建物ユニットを施工現場に運搬し、柱省略角部を突き合わせて据え付け、建物ユニットの天井梁を柱省略角部で連結した後、この２乃至４個の建物ユニットの中の１個以上では着脱自在な柱を取り外して柱省略角部より離れた前記補強プレートの位置に移動させて中柱とし、残りの建物ユニットでは着脱自在な柱を取り除くものである。
【００１８】
また、柱と床梁と天井梁とを平面矩形状の箱形に連結し、且つ、この矩形状の一角に柱を省略した柱省略角部を有する２乃至４個の建物ユニットが、柱省略角部を互いに突き合わせて据え付けられたユニット建物において、前記柱省略角部を有する建物ユニットの天井梁は柱省略角部で連結され、且つ、隣接する柱省略角部を有する建物ユニットの１組以上には、対峙している２本の天井梁に跨がり、且つ、この２本の天井梁を支持する中柱が柱省略角部より離れた位置に設けられているものである。
【００１９】
さらに、柱と床梁と天井梁とを平面矩形状の箱形に連結し、且つ、この矩形状の一角に柱を省略した柱省略角部を有する２乃至４個の建物ユニットを、柱省略角部を互いに突き合わせて据え付けるユニット建物の施工方法において、前記柱省略角部に着脱自在な柱を設けた柱省略角部を有する建物ユニットを施工現場に運搬し、柱省略角部を突き合わせて据え付け、建物ユニットの天井梁を柱省略角部で連結したり、隣接して据え付けられた柱省略角部を有する建物ユニットの１組以上の柱省略角部より離れた位置に、対峙している２本の天井梁に跨がり、且つ、この２本の天井梁を支持する中柱を設けた後、着脱自在な柱を取り除くものである。
【００２０】
（作用）
請求項１記載の発明では、柱省略角部を有する建物ユニットの１個以上には、柱省略角部より離れた位置に天井梁を支持する中柱が設けられているから、この中柱が設けられている建物ユニットの柱省略角部の天井梁が下方に撓み難い。
そして、柱省略角部を有する２乃至４個の建物ユニットの天井梁は柱省略角部で連結されているから、中柱が設けられてない建物ユニットの天井梁は、中柱が設けられた天井梁に連結されて撓まない。このように、すべての天井梁が撓まない。
しかも、この中柱を邪魔にならない場所に設けることにより、この柱省略角部に広い居住空間を形成させることができる。
【００２１】
請求項２記載の発明では、柱省略角部に着脱自在な柱を設けた建物ユニットを施工現場に運搬するから、この建物ユニットは、安定した構造となり、製造、保管、運搬中に変形したり破損することがない。
又、２乃至４個の建物ユニットを柱省略角部を突き合わせて据え付け、建物ユニットの天井梁を柱省略角部で連結した後、この２乃至４個の建物ユニットの中の１個以上では着脱自在な柱を取り外して柱省略角部より離れた位置に移動させて天井梁を支持する中柱とし、残りの建物ユニットは着脱自在な柱を取り除くから、柱省略角部に設けられた着脱自在な柱が中柱に利用され、中柱を特別に製造したり運ぶ必要がない。
【００２２】
そして、このようにして施工されたユニット建物では、柱省略角部に柱が存在しないし、１個以上の柱省略角部を有する建物ユニットには柱省略角部より離れた位置に中柱が設けられる。即ち、施工されたユニット建物は、請求項１記載の発明とほぼ同じ構造となる。
従って、請求項１記載の発明と同様に、天井梁が撓まないし、柱省略角部に広い居住空間を形成させることができる。
【００２３】
また、この柱省略角部を有する隣接する建物ユニットの１組以上には、対峙している２本の天井梁に跨がり、且つ、この２本の天井梁を支持する中柱が柱省略角部より離れた位置に設けられているから、天井梁に跨がった中柱で対峙している２本の天井梁が同時に支持される。
【００２４】
そして、柱省略角部を有する２乃至４個の建物ユニットの天井梁は柱省略角部で連結されているから、中柱が設けられてない建物ユニットの天井梁は中柱が設けられた天井梁に連結され、この天井梁は撓まない。このように、すべての天井梁が撓まない。
しかも、この中柱を邪魔にならない場所に設けることにより、この柱省略角部に広い居住空間を形成させることができる。
【００２５】
さらに、柱省略角部に着脱自在な柱を設けた建物ユニットを施工現場に運搬するから、この建物ユニットは、安定した構造となり、製造、保管、運搬中に変形したり破損することがない。
【００２６】
又、柱省略角部を有する２乃至４個の建物ユニットを、柱省略角部を突き合わせて据え付け、建物ユニットの天井梁を柱省略角部で連結したり、隣接して据え付けられた柱省略角部を有する建物ユニットの１組以上の柱省略角部より離れた位置に、対峙している２本の天井梁に跨がり、且つ、この２本の天井梁を支持する中柱を設けた後、着脱自在な柱を取り除くから、施工されたユニット建物では、柱省略角部に柱が存在しないし、隣接する１組以上の柱省略角部を有する建物ユニットの柱省略角部より離れた位置に、対峙している２本の天井梁に跨がり、且つ、この２本の天井梁を支持する中柱が設けられる。
【００２７】
【発明の実施の形態】
次に、本発明の実施の形態を示す。
（実施例１）
図１〜図７は本発明の一実施例を示すもので、図１（イ）はユニット建物を示す斜視説明図、（ロ）は（イ）の１階部分の建物ユニットの配置を示す平面視配置図、図２は建物ユニットの骨格を示す斜視説明図、図３は柱省略角部を有する建物ユニットの骨格を示す斜視説明図、図４は柱省略角部を有する建物ユニットに補強梁を取り付けている状態を示す斜視説明図、図５は着脱自在な柱を柱省略角部から移動させている状態を示す斜視説明図、図６（イ）は図５のＡ部分を拡大して示す正面図、（ロ）は（イ）のＢ−Ｂ線における断面図、図７（イ）は図５のＣ部分を拡大して示す正面図、（ロ）は（イ）のＤ−Ｄ線における断面図である。
【００２８】
図１〜図７において、Ｕはユニット建物であり、このユニット建物Ｕは、図１に示すように、基礎９の上に５個の建物ユニット１と４個の柱省略角部を有する建物ユニット２とが据え付けられ、この５個の建物ユニット１と４個の柱省略角部を有する建物ユニット２の上に９個の建物ユニット１が据え付けられ、この９個の建物ユニット１の上に屋根ユニット４（ユニット境界線省略）が据え付けられたものである。
【００２９】
建物ユニット１は、図２に示すように、平面矩形状の四隅に配置した４本の四角筒状の鋼製柱１１と、この４本の柱１１の上端部を矩形状の辺に沿って連結した断面コ字形の鋼製天井梁１３と、この４本の柱１１の下端部を矩形状の辺に沿って連結した断面コ字形の鋼製床梁１２とからなる骨格を有し、この相対する天井梁１３、１３に天井野縁１７を差し渡し、この天井野縁１７の下面に天井材を取り付けて天井を形成し、相対する床梁１２、１２に床小梁１５を差し渡し、この床小梁１５の上に床根太１６を取り付け、この床根太１６の上に床材を取り付けて床を形成し、壁を設ける場所では、天井梁１３と床梁１２との間に間柱１９を取り付け、この間柱１９に壁パネルを取り付けて壁を形成したものである。
【００３０】
柱省略角部を有する建物ユニット２は、図３に示すように、平面矩形状の四隅に配置した３本の四角筒状の鋼製柱２１と上下にジョイント材３１、３２を仮固定した着脱自在な断面コ字形の鋼製柱３と、この３本の柱２１の上端部やジョイント材３１を矩形状の辺に沿って連結した断面コ字形の鋼製天井梁２３と、この２本の柱２１の下端部やジョイント材３２を矩形状の辺に沿って連結した断面コ字形の鋼製床梁２２とからなる骨格を有し、この相対する天井梁２３、２３に天井野縁２７を差し渡し、この天井野縁２７の下面に天井材を取り付けて天井を形成し、相対する床梁２２、２２に床小梁２５を差し渡し、この床小梁２５の上に床根太２６取り付け、この床根太２６の上に床材を取り付けて床を形成し、壁を設ける場所には、天井梁２３と床梁２２との間に間柱２９を取り付け、この間柱２９に壁パネルを取り付けて壁を形成したものである。
【００３１】
この４個の柱省略角部を有する建物ユニット２の中の隣接して据え付ける２個の建物ユニット２−１には、長辺の１本の天井梁の着脱自在な柱を移動させる位置Ｍに、図６に示すように、天井梁２３の断面コ字形の中に嵌め込まれた補強プレート６が、又、床梁の同じ位置に、図７に示すように、床梁２２の断面コ字形の上側フランジと下側フランジとを連結するスチフナー６５が設けられている。尚、この着脱自在な柱３が移動する位置は、予め、設計時に、邪魔にならない場所に指定されている。
【００３２】
５は短辺方向の天井梁２３を補強する補強梁であり、この補強梁５の長さは短辺方向の天井梁２３の２倍の長さにほぼ同じである。
そして、ユニット建物Ｕは、柱省略角部を有する建物ユニット２が、長辺同士を対峙させ、柱省略角部を突き合わせて据え付けられ、図４に示すように、一方の柱省略角部を有する建物ユニット２の短辺の天井梁２３が対峙している隙間５５から柱省略角部を経て他方の柱省略角部を有する建物ユニット２の短辺の天井梁２３が対峙しているほぼ一直線状になっている隙間５６に補強梁５が挿入され、両側の短辺の天井梁２３と補強梁５とがボルト・ナットで連結され、着脱自在な柱３がジョイント材３１、３２から取り外され、４本の着脱自在な柱３の中の２本は、図５に示すように、移動されて中柱７となり、２本は取り除かれ、この柱省略角部を有する建物ユニット２の周囲に建物ユニット１が長辺同士や短辺同士を対峙させて据え付けられて１階が構成され、この１階の建物ユニット１および柱省略角部を有する建物ユニット２の上に建物ユニット１が据え付けられて２階が構成され、この２階の建物ユニット２の上に屋根ユニット４が据え付けられたものである。
屋根ユニット４の構造は従来と同じであるので説明を省略する。
【００３３】
次に、このユニット建物Ｕの施工方法を説明する。
工場で、図２に示すように、平面矩形状の四隅に４本の柱１１を配置し、この４本の柱１１の上端部を天井梁１３で矩形状の辺に沿って連結し、この４本の柱１１の下端部を床梁１２で矩形状の辺に沿って連結して建物ユニット１の骨格を製造する。
【００３４】
次に、この建物ユニット１の骨格の相対する天井梁１３、１３に天井野縁１７を差し渡し、この天井野縁１７の下面に天井材を取り付けて天井を形成し、相対する床梁１２、１２に床小梁１５を差し渡し、この床小梁１５の上に床根太１６を取り付け、この床根太１６の上に床材を取り付けて床と形成し、壁を設ける場所には、天井梁１３と床梁１２との間に間柱１９を取り付け、この間柱１９に壁パネルを取り付けて壁を形成して建物ユニット１を製造する。
【００３５】
又、図３に示すように、平面矩形状の四隅に３本の柱２１と上下にジョイント材３１、３２を仮固定した着脱自在な柱３とを配置し、この３本の柱１１の上端部やジョイント材３１を天井梁２３で矩形状の辺に沿って連結し、この２本の柱１１の下端部やジョイント材３２を床梁２２で矩形状の辺に沿って連結して柱省略角部を有する建物ユニット２の骨格を製造する
【００３６】
次に、この柱省略角部を有する建物ユニット２の骨格の相対する天井梁２３、２３に天井野縁２７を差し渡し、この天井野縁２７の下面に天井材を取り付けて天井を形成し、相対する床梁２２、２２に床小梁２４を差し渡し、この上に床根太２５を取り付け、この床根太２５の上に床材を取り付けて床を形成し、壁を設ける場所には、天井梁２３と床梁２２との間に間柱２９を取り付け、この間柱２９に壁パネルを取り付けて壁を形成して柱省略角部を有する建物ユニット２を製造する。
又、補強梁５、屋根ユニット４等を製造する。
【００３７】
この建物ユニット１、柱省略角部を有する建物ユニット２、補強梁５、屋根ユニット４等を施工現場に運搬する。
すると、建物ユニット１、柱省略角部を有する建物ユニット２、屋根ユニット４等は、従来と同じ大きさであるのでトラックで運搬し易い。又、補強梁５は柱省略角部を有する建物ユニット２の短辺の天井梁２３の２倍にほぼ等しい長さの長尺体であるので、運搬し易い。
【００３８】
施工現場では、予め設けている基礎９の上に、柱省略角部を有する建物ユニット２を、長辺同士を対峙させ、柱省略角部を突き合わせて据え付け、図４に示すように、一方の柱省略角部を有する建物ユニット２の短辺の天井梁２３が対峙しているほぼ一直線状になっている隙間５５から柱省略角部を経て他方の柱省略角部を有する建物ユニット２の短辺の天井梁２３が対峙している隙間５６に補強梁５を挿入し、この補強梁５をそれぞれ両側の天井梁２３で挟んでボルト・ナットで取り付けて天井梁２３を連結した後、着脱自在な柱３をジョイント材３１、３２から取り外し、この着脱自在な柱３の中の２本は、図５に示すように、位置Ｍに移動させて中柱７とし、２本は取り除き、この周囲に建物ユニット１を長辺同士や短辺同士を対峙させて据え付けて１階を完成させる。
【００３９】
次に、この１階の建物ユニット１および柱省略角部を有する建物ユニット２の上に建物ユニット１を据え付けて２階を完成させ、この２階の建物ユニット１の上に屋根ユニット４を据え付け、その他の仕上げを行うとユニット建物Ｕが完成する。
【００４０】
このようにして完成したユニット建物Ｕでは、この柱省略部を有する建物ユニット２を、建物ユニット１等と組み立てた後に、着脱自在な柱３がジョイント材３１、３２から外されて中柱７としたり、取り除かれているので、この着龍自在な柱３の部分（柱省略角部）に広く連続した居住空間を形成させることができる。
又、柱省略角部を有する建物ユニットの２個には、柱省略角部より離れた位置Ｍに中柱７が設けられているから、この建物ユニット２の柱省略角部の天井梁２３が下方に撓み難い。
【００４１】
そして、その他の柱省略角部を有する建物ユニット２の天井梁２３は中柱７が設けられている建物ユニット２の天井梁２３に連結されているから、中柱７が設けられてない建物ユニットの天井梁２３も撓まない。
このように、このユニット建物Ｕは、すべての天井梁２３が撓まない機械的強度の大きい建物である。
【００４２】
（実施例２）
図８〜図１１は本発明の他の一実施例を示すもので、図８（イ）はユニット建物を示す斜視説明図、（ロ）は（イ）の１階部分と２階部分の建物ユニットの配置を示す平面視配置図、（ハ）は（ロ）のＥ−Ｅ線における１階の建物ユニットと２階の建物ユニットの側面視説明図、図９は柱省略角部を有する建物ユニットに補強梁を取り付け、２本の天井梁に跨がる中柱を取り付けた状態を示す斜視説明図、図１０は中柱を製造している状態を示す一部切欠斜視図、図１１は２本の天井梁に跨がって中柱を取り付けている状態を示す斜視説明図である。
【００４３】
図８〜図１１において、Ｕａはユニット建物であり、このユニット建物Ｕａは、図８に示すように、基礎９ａの上に５個の建物ユニット１ａと４個の柱省略角部を有する建物ユニット２ａとが据え付けられ、この５個の建物ユニット１ａと４個の柱省略角部を有する建物ユニット２ａの上に、それぞれ４個の柱省略角部を有する建物ユニット２ａと５個の建物ユニット１ａが据え付けられ、この建物ユニット１ａと柱省略角部を有する建物ユニット２ａの上に屋根ユニット４ａ（ユニット境界線省略）が据え付けられたものである。
建物ユニット１ａおよび柱省略角部を有する建物ユニット２ａは実施例１とほぼ同じであるので説明を省略する。
【００４４】
５ａは短辺方向の天井梁２３ａを補強する補強梁であり、実施例１とほぼ同じであるので説明を省略する。
７ａは２本の天井梁２３ａ、２３ａに跨がり、この２本の天井梁２３ａ、２３ａを支持する中柱であり、この中柱７ａは、図１０に示すように、断面コ字形の天井梁２３ａの下側フランジのほぼ２倍の長さの相対するフランジ７１ａと、この２枚のフランジ７１ａを繋ぐウエッブ７２ａとからなる断面Ｈ形の長尺体７３ａの上端と下端にほぼ正方形の連結板７４ａが溶接されたものである。そして、この連結板７４ａには取付孔７５ａが４個設けられている。
【００４５】
そして、ユニット建物Ｕａの１階は、柱省略角部を有する建物ユニット２ａが、長辺同士を対峙させ、柱省略角部を突き合わせて据え付けられ、図９に示すように、一方の柱省略角部を有する建物ユニット２ａの短辺の天井梁２３ａが対峙している隙間５５ａから柱省略角部を経て他方の柱省略角部を有する建物ユニット２ａの短辺の天井梁２３ａが対峙しているほぼ一直線状になっている隙間５６ａに補強梁５ａが挿入され、両側の短辺の天井梁２３ａと補強梁５ａとがボルト・ナットで連結され、図１１に示すように、２本の天井梁２３ａ、２３ａに跨がり、且つ、この２本の天井梁２３ａ、２３ａを支持する中柱７ａが、上端を天井梁２３ａに、又、下端を床梁２２ａにボルト、ナットで連結されて取り付けられ、着脱自在な柱３ａがジョイント材３１ａ、３２ａから取り外され、この柱省略角部を有する建物ユニット２ａの周囲に建物ユニット１ａが長辺同士や短辺同士を対峙させて据え付けられたものである。
【００４６】
この１階の建物ユニット１ａおよび柱省略角部を有する建物ユニット２ａの上に、１階と同様にして、建物ユニット１ａと柱省略角部を有する建物ユニット２ａが据え付けられて２階が構成されている。但し、２階の柱省略角部を有する建物ユニット２ａの天井梁２３ａには大きな荷重がかからないので、中柱７ａが設けられてない。
この２階の建物ユニット１ａおよび柱省略角部を有する建物ユニット２ａの上に屋根ユニット４ａが据え付けられたものである。
屋根ユニット４ａの構造は従来と同じであるので説明を省略する。
【００４７】
次に、このユニット建物Ｕａの施工方法を説明する。
工場で、建物ユニット１ａ、建物ユニット２ａ、補強梁５ａ、屋根ユニット４ａ、柱７ａ等を製造にす。
この建物ユニット１、柱省略角部を有する建物ユニット２ａ、補強梁５ａ、屋根ユニット４ａ、柱７ａ等を施工現場に運搬する。
すると、建物ユニット１ａ、柱省略角部を有する建物ユニット２ａ、屋根ユニット４ａ等は、従来と同じ大きさであるのでトラックで運搬し易い。又、補強梁５ａは柱省略角部を有する建物ユニット２ａの短辺の天井梁２３ａの２倍にほぼ等しい長さの長尺体であるので、運搬し易い。
【００４８】
施工現場では、予め設けている基礎９ａの上に、柱省略角部を有する建物ユニット２ａを、長辺同士を対峙させ、柱省略角部を突き合わせて据え付け、一方の柱省略角部を有する建物ユニット２ａの短辺の天井梁２３ａが対峙しているほぼ一直線状になっている隙間５５ａから柱省略角部を経て他方の柱省略角部を有する建物ユニット２ａの短辺の天井梁２３ａが対峙している隙間５６ａに補強梁５ａを挿入し、この補強梁５ａをそれぞれ両側の天井梁２３ａで挟んでボルト・ナットで取り付けて天井梁２３ａを連結し、図１１に示すように、２本の天井梁２３ａに跨がる中柱７ａを天井梁２３ａと床梁２２ａとに取り付けた後、着脱自在な柱３ａをジョイント材３１ａ、３２ａから取り外し、この柱省略角部を有する建物ユニット２ａの周囲に建物ユニット１ａを長辺同士や短辺同士を対峙させて据え付けて１階を完成させる。
【００４９】
次に、この１階の建物ユニット１ａおよび柱省略角部を有する建物ユニット２ａの上に、１階と同様にして、建物ユニット１ａと柱省略角部を有する建物ユニット２ａとを据え付けて２階を完成させる。但し、中柱７ａを設けない。
次に、この２階の建物ユニット１ａと柱省略角部を有する建物ユニット２ａの上に屋根ユニット４ａを据え付け、その他の仕上げを行うとユニット建物Ｕａが完成する。
【００５０】
このようにして完成したユニット建物Ｕａでは、この柱省略部を有する建物ユニット２ａを、建物ユニット１ａ等と共に組み立てた後に、着脱自在な柱３ａがジョイント材３１ａ、３２ａから外されているので、この着脱自在な柱３ａの部分（柱省略角部）に広く連続した居住空間を形成させることができる。
【００５１】
このユニット建物Ｕａの１階では、隣接する柱省略角部を有する建物ユニットには、対峙している２本の天井梁２３ａ、２３ａに跨がり、且つ、この２本の天井梁２３ａ、２３ａに中柱７ａが柱省略角部より離れた位置に設けられているから、この天井梁２３ａに跨がった中柱７ａで対峙している２本の天井梁２３ａが同時に支持される。
【００５２】
しかも、柱省略角部を有する建物ユニット２ａの天井梁２３ａは柱省略角部で連結されているから、中柱７ａが設けられてない建物ユニットの天井梁２３ａも、中柱７ａが設けられている天井梁２３ａに連結され天井梁２３ａが撓まないようになっている。即ち、すべての天井梁２３ａが撓まない構造になっている。
従って、この１階の柱省略角部を有する建物ユニット２ａの天井梁２３ａに２階以上の荷重がかかっても天井梁２３ａが撓まない。
尚、２本の天井梁２３ａを柱で支持するためには、実施例１では２本の中柱が必要であったが、この実施例２では１本の中柱７ａだけでよく、便利である。
【００５３】
【発明の効果】
請求項１記載の発明では、柱省略角部を有する建物ユニットの１個以上には、柱省略角部より離れた位置に中柱が設けられているから、この建物ユニットの柱省略角部の天井梁が下方に撓み難い。
しかも、柱省略角部を有する建物ユニットの天井梁は柱省略角部で連結されているから、中柱が設けられてない建物ユニットの天井梁は中柱が設けられた天井梁に連結され、この天井梁は撓まない。
このようにすべての天井梁が撓まないので安心である。
【００５４】
又、この柱省略角部より離れた位置に設けられる柱を邪魔にならない場所に設けることにより、この柱省略角部に広い居住空間を形成させることができる。
又、この柱省略角部より離れた位置に設けられる柱を邪魔にならない場所に設けることにより、この柱省略角部に広い居住空間を形成させることができる。
【００５５】
請求項２記載の発明では、柱省略角部に着脱自在な柱を設けた建物ユニットを施工現場に運搬するから、この建物ユニットは、安定した構造となり、製造、保管、運搬中に変形したり破損することがない。
又、柱省略角部を突き合わせて据え付け、建物ユニットの天井梁を柱省略角部で連結した後、この２乃至４個の建物ユニットの中の１個以上では着脱自在な柱を取り外して柱省略角部より離れた位置に移動させて中柱とし、残りの建物ユニットは着脱自在な柱を取り除くから、柱省略角部に設けられた着脱自在な柱がそのまま利用され、柱省略角部より離れた位置に設ける中柱を特別に製造したり運ぶ必要がない。
【００５６】
そして、このようにして施工されたユニット建物では、柱省略角部には柱が存在しないし、１個以上の柱省略角部を有する建物ユニットには柱省略角部より離れた位置に柱が設けられている。即ち、施工されたユニット建物は、請求項１記載の発明とほぼ同じ構造となる。
従って、請求項１記載の発明と同様に、天井梁が撓まないし、柱省略角部に広い居住空間を形成させることができる。
【００５７】
この他にも、この柱省略角部を有する隣接する建物ユニットの１組以上には、対峙している２本の天井梁に跨がり、且つ、この２本の天井梁を支持する中柱が柱省略角部より離れた位置に設けられているから、対峙している２本の天井梁がこの中柱で同時に支持され、この２本の天井梁をそれぞれ別々に２本の中柱で支持するより便利である。
【００５８】
しかも、柱省略角部を有する建物ユニットの天井梁は柱省略角部で連結されているから、中柱が設けられてない建物ユニットの天井梁は中柱が設けられた天井梁に連結され、この天井梁も撓まない構造になっている。
又、この柱省略角部より離れた位置に設けられる柱を邪魔にならない場所に設けることにより、この柱省略角部に広い居住空間を形成させることができる。
【００５９】
さらに、柱省略角部に着脱自在な柱を設けた建物ユニットを施工現場に運搬するから、この建物ユニットは、安定した構造となり、製造、保管、運搬中に変形したり破損することがない。
【００６０】
又、柱省略角部を有する２乃至４個の建物ユニットの柱省略角部を突き合わせて据え付け、建物ユニットの天井梁を柱省略角部で連結したり、隣接して据え付けられた柱省略角部を有する建物ユニットの１組以上の柱省略角部より離れた位置に、対峙している２本の天井梁に跨がり、且つ、この２本の天井梁を支持する中柱を設けた後、着脱自在な柱を取り除くから、施工されたユニット建物では、柱省略角部には柱が存在しないし、隣接する１組以上の柱省略角部を有する建物ユニットには柱省略角部より離れた位置に中柱が設けられている。
従って、天井梁が撓まないし、柱省略角部に広い居住空間を形成させることができる。
【図面の簡単な説明】
【図１】本発明の一実施例を示すもので、（イ）はユニット建物を示す斜視説明図、（ロ）は（イ）の１階部分の建物ユニットの配置を示す平面視配置図である。
【図２】建物ユニットの骨格を示す斜視説明図である。
【図３】柱省略角部を有する建物ユニットの骨格を示す斜視説明図である。
【図４】柱省略角部を有する建物ユニットに補強梁を取り付けている状態を示す斜視説明図である。
【図５】着脱自在な柱を柱省略角部から移動させている状態を示す斜視説明図である。
【図６】（イ）は図５のＡ部分を拡大して示す正面図、（ロ）は（イ）のＢ−Ｂ線における断面図である。
【図７】（イ）は図５のＣ部分を拡大して示す正面図、（ロ）は（イ）のＤ−Ｄ線における断面図である。
【図８】本発明の他の一実施例を示すもので、（イ）はユニット建物を示す斜視説明図、（ロ）は（イ）の１階部分の建物ユニットの配置を示す平面視配置図、（ハ）は（ロ）のＥ−Ｅ線における１階の建物ユニットと２階の建物ユニットの側面視説明図である。
【図９】柱省略角部を有する建物ユニットに補強梁を取り付け、２本の天井梁に跨がる柱を取り付けた状態を示す斜視説明図である。
【図１０】２本の天井梁に跨がる柱を組み立てている状態を示す一部切欠斜視図である。
【図１１】２本の天井梁に跨がって柱を取り付けている状態を示す斜視説明図である。
【符号の説明】
Ｕ、Ｕａ          ユニット建物
１、１ａ          建物ユニット
２、２ａ          柱省略角部を有する建物ユニット
２３、２３ａ      天井梁
３、３ａ          着脱自在な柱
４、４ａ          屋根ユニット
５、５ａ          補強梁
７、７ａ          中柱
【図１】
0003707941.tif 000002
【図２】
0003707941.tif 000003
【図３】
0003707941.tif 000004
【図４】
0003707941.tif 000005
【図５】
0003707941.tif 000006
【図６】
0003707941.tif 000007
【図７】
0003707941.tif 000008
【図８】
0003707941.tif 000009
【図９】
0003707941.tif 000010
【図１０】
0003707941.tif 000011
【図１１】
0003707941.tif 000012